(57)【要約】【課題】空調システムにおける室圧調整性能などを高める。【解決手段】室圧偏差Δｐに応じダンパＶｒの開度を調整して対象室１それぞれの室圧ｐを設定室圧ｐｓに調整するダンパ制御と、このダンパ制御においてダンパＶｒが設定適正開度Ｙになるように、ダンパＶｒの検出開度ｂ１〜ｂ３に応じファンＦｒの出力を調整して主風路３の風路圧ｆｒを変更する風路圧調整制御とを実行する制御手段６Ｂ，９Ｂ，１０Ｂ，１２を設ける空調システムにおいて、隣接する対象室１を区画する室壁１ａに設けられた扉１１の開閉を検出する検出手段１２を設け、制御手段６Ｂ，９Ｂ，１０Ｂ，１２を、検出手段１１ａによる検出情報ｉｄに基づき、扉１１が開き状態にあることに応じて、風路圧調整制御の制御動作を制限する構成にしてある。【選択図】        図１
2004170045.tif 000002
【特許請求の範囲】
【請求項１】
ファンを介装した給気側又は排気側の主風路に複数の対象室を分岐風路を介し並列に接続して、これら分岐風路のそれぞれにダンパを設け、
前記対象室それぞれの検出室圧と設定室圧との偏差に応じ前記ダンパの開度を調整して前記対象室それぞれの室圧を設定室圧に調整するダンパ制御と、
このダンパ制御において前記ダンパが設定適正開度になるように、前記ダンパの検出開度に応じ前記ファンの出力を調整して前記主風路の風路圧を変更する風路圧調整制御とを実行する制御手段を設ける空調システムであって、
隣接する前記対象室を区画する室壁に設けられた扉の開閉を検出する検出手段を設け、
前記制御手段を、前記検出手段による検出情報に基づき、前記扉が開き状態にあることに応じて、前記風路圧調整制御の制御動作を制限する構成にしてある空調システム。
【請求項２】
前記制御手段を、前記検出手段による検出情報に基づき、前記扉が設定遅延時間にわたり開き状態を維持されたときに前記風路圧調整制御の制御動作を制限する構成にしてある請求項１記載の空調システム。
【請求項３】
前記制御手段を、前記制御動作の制限として、前記風路圧調整制御を停止する構成にしてある請求項１又は２記載の空調システム。
【請求項４】
前記制御手段を、前記制御動作の制限として、前記扉の開きにより連通する二つの対象室それぞれの前記ダンパのうちのいずれか一方、又は、両方を前記風路圧調整制御のための開度検出対象から除外する構成にしてある請求項１又は２記載の空調システム。
【請求項５】
前記制御手段を、前記制御動作の制限として、前記風路圧調整制御における前記ファンの出力調整速度を低下させる構成にしてある請求項１又は２記載の空調システム。
【請求項６】
前記制御手段を、前記検出手段による検出情報に基づき、前記扉が閉じ状態にあることに応じて、前記制御動作の制限を解除する構成にしてある請求項１〜５のいずれか１項に記載の空調システム。
【請求項７】
前記制御手段を、前記検出手段による検出情報に基づき、前記扉を閉じた後、設定遅延時間を経過したとき前記制御動作の制限を解除する構成にしてある請求項６記載の空調システム。
【発明の詳細な説明】
【０００１】
【発明の属する技術分野】
本発明は、薬品の製造施設や半導体電子部品の製造施設など、複数室に対する室圧管理が必要な施設で用いる空調システムに関し、詳しくは、ファンを介装した給気側又は排気側の主風路に複数の対象室を分岐風路を介し並列に接続して、これら分岐風路のそれぞれにダンパを設け、対象室それぞれの検出室圧と設定室圧との偏差に応じダンパの開度を調整して対象室それぞれの室圧を設定室圧に調整するダンパ制御と、このダンパ制御においてダンパが設定適正開度になるように、ダンパの検出開度に応じファンの出力を調整して主風路の風路圧を変更する風路圧調整制御とを実行する制御手段を設ける空調システムに関する。
【０００２】
【従来の技術】
この種の空調システムは、上記の風路圧調整制御により、上記のダンパ制御上において各分岐風路のダンパが設定適正開度になるようにすることで、そのダンパ制御による各対象室の室圧調整を良好に行なえるようにしたものであり、従来、この種の空調システムでは、隣接する対象室を区画する室壁に設けられた扉の開閉状態に関わらず、風路圧調整制御を通常の制御動作で実行させていた（例えば、特許文献１参照。）。
【０００３】
【特許文献１】
特開２０００−３１４５４５号公報
【０００４】
【発明が解決しようとする課題】
しかし、この従来のシステムでは、例えば、排気側の主風路にファンを介装し、かつ、排気側の分岐風路にダンパを設ける構成で、隣接する対象室において設定室圧の低い側の対象室（低圧室）の方が設定室圧の高い側の対象室（高圧室）よりも換気回数が少ない場合、それらの間の扉が開き状態となると、低圧室の室圧が大幅に上昇するため、ダンパ制御により低圧室のダンパが排気風量の増大側である開き側に動作して設定適正開度から逸脱し、これに対し、ダンパ開度検出に基づく風路圧調整制御によりファンの出力が増大する側に調整されて、排気側主風路の風路圧が低下する。そして、この主風路の風路圧低下により、高圧室や他の対象室のダンパがダンパ制御上で排気風量の減少側である閉じ側に大きく動作して設定適正開度から逸脱し、これに対し、風路圧調整制御によりファン出力が減少する側に調整されて、排気側主風路の風路圧は上昇する。そして再び、ダンパ制御により低圧室のダンパは設定適正開度から開き側に逸脱し、これに対し、風路圧調整制御によりファンの出力が再度増大する側に調整されるといったことが生じる場合がある。
このようなシステムの不安定化により、対象室の室圧を設定室圧に維持することが困難になり、また、このような不安定状態を繰り返す悪循環から、室圧調整が不能なハンチング状態に陥り、それによって、システム全体が機能しなくなってしまう恐れもある。
同様に、隣接する対象室において設定室圧の低い側の対象室（低圧室）の方が設定室圧の高い側の対象室（高圧室）よりも換気回数が多い場合、それらの間の扉が開き状態となると、高圧室の室圧が大幅に低下するため、ダンパ制御により高圧室のダンパが排気風量の減少側である閉じ側に動作して設定適正開度から逸脱し、これに対し、ダンパ検出開度に基づく風路圧調整制御によりファンの出力が減少する側に調整されて、排気側主風路の風路圧が上昇する。そして、この主風路の風路圧上昇により、低圧室や他の対象室のダンパがダンパ制御上で排気風量の増大側である開き側に大きく動作して設定適正開度から逸脱し、これに対し、風路圧調整制御によりファン出力が増大する側に調整されて、排気側主風路の風路圧は低下する。そして再び、ダンパ制御により高圧室のダンパは設定適正開度から閉じ側に逸脱し、これに対し、風路圧調整制御によりファンの出力が再度減少する側に調整されるといったことを繰り返し、システムが不安定な状態となる。
また、給気側の主風路にファンを介装し、かつ、給気側の分岐風路にダンパを設ける構成についても同様の問題が生じる。
【０００５】
この実情に鑑み、本発明の主たる課題は、合理的な改良をもって上記問題を効果的に解消する点にある。
【０００６】
【課題を解決するための手段】
〔１〕請求項１に係る発明は空調システムに係り、その特徴は、
ファンを介装した給気側又は排気側の主風路に複数の対象室を分岐風路を介し並列に接続して、これら分岐風路のそれぞれにダンパを設け、
前記対象室それぞれの検出室圧と設定室圧との偏差に応じ前記ダンパの開度を調整して前記対象室それぞれの室圧を設定室圧に調整するダンパ制御と、
このダンパ制御において前記ダンパが設定適正開度になるように、前記ダンパの検出開度に応じ前記ファンの出力を調整して前記主風路の風路圧を変更する風路圧調整制御とを実行する制御手段を設ける空調システムであって、
隣接する前記対象室を区画する室壁に設けられた扉の開閉を検出する検出手段を設け、
前記制御手段を、前記検出手段による検出情報に基づき、前記扉が開き状態にあることに応じて、前記風路圧調整制御の制御動作を制限する構成にしてある点にある。
【０００７】
この構成によれば、扉が開かれることによって対象室の室圧が大きく変動し、その室圧変動に対しダンパ制御によりその対象室のダンパの開度が調整され設定適正開度から逸脱しても、検出手段による扉開き状態の検出により風路圧調整制御の制御動作が制限されるので、風路圧調整制御によるファンの大幅な出力変更（詳しくは、その出力変更による主風路の風路圧変動）を原因とする他の対象室についてのダンパの設定適正開度からの逸脱を抑止することができる。
従って、従来のシステムにおいて起こりうる先述したシステムの不安定化を抑止することができ、また、システムがハンチング状態に陥ることも抑止できて、扉の開閉に関わらず、システム全体として安定した室圧調整状態を保つことができる。
【０００８】
〔２〕請求項２に係る発明は、請求項１に係る発明の実施に好適な実施形態を特定するものであり、その特徴は、
前記制御手段を、前記検出手段による検出情報に基づき、前記扉が設定遅延時間にわたり開き状態を維持されたときに前記風路圧調整制御の制御動作を制限する構成にしてある点にある。
【０００９】
つまり、この構成によれば、扉が開かれた時点で直ちに風路圧調整制御を制限するのではなく、設定遅延時間にわたり開き状態に維持されたときに風路圧調整制御を制限することで、ダンパ開度が設定適正開度から逸脱するには至らない短時間の扉の開閉に対しては風路圧調整制御を通常どおり実行させ、これによって、扉の開閉に対し必要以上に風路圧調整制御の制御動作を制限してしまうことを回避して、システム全体として安定した室圧調整状態を一層確実に保つことができる。
【００１０】
〔３〕請求項３に係る発明は、請求項１又は２に係る発明の実施に好適な実施形態を特定するものであり、その特徴は、
前記制御手段を、前記制御動作の制限として、前記風路圧調整制御を停止する構成にしてある点にある。
【００１１】
つまり、この構成によれば、検出手段による扉開き状態の検出に基づいて風路圧調整制御を停止することで、ファンの出力は各対象室のダンパの開度に関わらず一定に維持され、その状態の下で各対象室の室圧を設定室圧に調整するダンパ制御が独立した形態で実行されるので、風路圧調整制御によるファンの大幅な出力変更を原因とする他の対象室（扉の開きにより室圧が変動する対象室以外の対象室）についてのダンパの設定適正開度からの逸脱を抑止することができ、これにより、扉の開閉に関わらず、システム全体として安定した室圧調整状態を保つことができる。
【００１２】
〔４〕請求項４に係る発明は、請求項１又は２に係る発明の実施に好適な実施形態を特定するものであり、その特徴は、
前記制御手段を、前記制御動作の制限として、前記扉の開きにより連通する二つの対象室それぞれの前記ダンパのうちのいずれか一方、又は、両方を前記風路圧調整制御のための開度検出対象から除外する構成にしてある点にある。
【００１３】
つまり、この構成によれば、検出手段による扉開き状態の検出に基づいて、扉の開きにより連通する二つの対象室それぞれのダンパのうちのいずれか一方、又は、両方を風路圧調整制御のための開度検出対象から除外するので、扉の開きにより室圧変動の生じた対象室のダンパが設定適正開度から逸脱しても、風路圧調整制御によるファンの大幅な出力変更は行なわれず、これによって、主風路の風路圧が大きく変動することがないので、他の対象室のダンパが設定適正開度から逸脱することを抑止できる。
また、扉の開きにより室圧変動の生じた対象室以外の対象室についてのダンパの検出開度に基づいて風路圧調整制御は続行されるので、扉が開き状態にあるとき風路圧調整制御を停止する構成に比べて、他の対象室の室圧調整をより良好に行うことができる。
【００１４】
〔５〕請求項５に係る発明は、請求項１又は２に係る発明の実施に好適な実施形態を特定するものであり、その特徴は、
前記制御手段を、前記制御動作の制限として、前記風路圧調整制御における前記ファンの出力調整速度を低下させる構成にしてある点にある。
【００１５】
つまり、この構成によれば、検出手段による扉開き状態の検出により、風路圧調整制御によるファンの出力調整速度を低下させるので、扉の開きにより１つの対象室の室圧が変動してその対象室に対するダンパの開度が設定適正開度から逸脱しても、ファンの出力調整速度が緩慢であるため、主風路の風路圧の変動が緩慢になり、従って、他の対象室についてのダンパの開度変化も緩慢になり、これによって、それら他の対象室のダンパが設定適正開度から逸脱することを極力抑制することができ、システム全体として安定した室圧調整状態を保つことができる。
【００１６】
〔６〕請求項６に係る発明は、請求項１〜５のいずれか１項に係る発明の実施に好適な実施形態を特定するものであり、その特徴は、
前記制御手段を、前記検出手段による検出情報に基づき、前記扉が閉じ状態にあることに応じて、前記制御動作の制限を解除する構成にしてある点にある。
【００１７】
つまり、この構成によれば、検出手段による扉開き状態の検出により制限されていた風路圧調整制御の制御動作が、扉閉じ状態の検出により制限を解除されて通常の制御に復帰するので、再び風路圧調整制御によりダンパ制御上において各対象室のダンパが設定適正開度になるように調整され、その風路圧調整制御下でのダンパ制御により対象室の室圧調整が再び極めて良好に行われるようになる。
【００１８】
〔７〕請求項７に係る発明は、請求項６項に係る発明の実施に好適な実施形態を特定するものであり、その特徴は
前記制御手段を、前記検出手段による検出情報に基づき、前記扉を閉じた後、設定遅延時間を経過したとき前記制御動作の制限を解除する構成にしてある点にある。
【００１９】
扉が閉じられてすぐの時点では、扉の開きによる対象室の室圧変動により設定適正開度から逸脱したダンパが未だ設定適正開度に復帰していないことが多く、そのため、扉が閉じられた時点で直ちに風路圧調整制御の制御動作の制限を解除すると、その逸脱したダンパの開度検出に基づく風路圧調整制御によりファンの出力が大きく変更され主風路の風路圧が変動するので、扉の開きにより室圧変動を生じた対象室以外の対象室のダンパが設定適正開度から逸脱してしまう状態を誘発し、この点で、システムの不安定化を招来する恐れがある。
この構成では、扉を閉じた後、風路圧調整制御の制御動作の制限を解除するまでに設定遅延時間を経過させることで、扉の開きにより室圧変動した対象室に付いてのダンパの開度が設定適正開度ないしそれに近い開度に復帰した後に風路圧調整制御の制御動作の制限を解除することができるので、制限解除の早すぎによるシステムの不安定化を効果的に防止できる。
【００２０】
【発明の実施の形態】
図１は複数の対象室１に対する空調システムを示し、２は給気ファンＦｓを介装した給気側主風路、３は排気ファンＦｒを介装した排気側主風路であり、各対象室１は給気側分岐風路２ａを介して給気側主風路２に対し並列に接続するとともに、排気側分岐風路３ａを介して排気側主風路３に対し同じく並列に接続してある。また、４は対象室１への供給空気を温湿度調整する空調機である。
【００２１】
Ｖｓは給気側分岐風路２ａのそれぞれに介装した給気側ダンパ、５は給気側分岐風路２ａの通風量ｑｓを検出する通風量センサ、６Ａは給気側ダンパＶｓを制御する給気側ダンパ制御器であり、これら給気側ダンパ制御器６Ａは、通風量センサ５による検出通風量ｑｓと中央制御器ＣＣから指定される目標通風量ｑｓｓとの偏差Δｑｓに応じ給気側ダンパＶｓの開度を調整して各給気側分岐風路２ａの通風量ｑｓ（すなわち、各対象室１の換気風量）を目標通風量ｑｓｓに調整する給気側ダンパ制御を実行する。
【００２２】
Ｖｒは排気側分岐風路３ａのそれぞれに介装した排気側ダンパ、７は対象室１の室圧ｐ  （具体的には基準圧力と室内圧力との差圧）を検出する室圧センサ、６Ｂは排気側ダンパＶｒを制御する排気側ダンパ制御器であり、これら排気側ダンパ制御器６Ｂは、室圧センサ７による検出室圧ｐと中央制御器ＣＣから指定される目標室圧ｐｓとの偏差Δｐに応じ排気側ダンパＶｒの開度を調整して各対象室１の室圧ｐを目標室圧ｐｓに調整する排気側ダンパ制御を実行する。
【００２３】
８ａは給気側主風路２の風路圧ｆｓを検出する給気側圧力センサ、９Ａは給気ファンＦｓを制御する給気側ファン制御器であり、この給気側ファン制御器９Ａは、給気側圧力センサ８ａによる検出風路圧ｆｓと中央制御器ＣＣから指定される給気側目標風路圧ｆｓｓとの偏差Δｆｓに応じインバータ制御により給気ファンＦｓの出力を調整して給気側主風路２の風路圧ｆｓを給気側目標風路圧ｆｓｓに調整する給気側ファン調整制御を実行する。
【００２４】
８ｂは排気側主風路３の風路圧ｆｒを検出する排気側圧力センサ、９Ｂは排気ファンＦｒを制御する排気側ファン制御器であり、この排気側ファン制御器９Ｂは、排気側圧力センサ８ｂによる検出風路圧ｆｒと中央制御器ＣＣから指定される排気側目標風路圧ｆｒｓとの偏差Δｆｒに応じインバータ制御により排気ファンＦｒの出力を調整して排気側主風路３の風路圧ｆｒを排気側目標風路圧ｆｒｓに調整する排気側ファン調整制御を実行する。
【００２５】
１０Ａ，１０Ｂは中央制御器ＣＣにおける給気側及び排気側の風路圧設定変更部であり、給気側の風路圧設定変更部１０Ａは、給気側ダンパ制御器６Ａによる前記の給気側ダンパ制御において給気側ダンパＶｓが所定の適正開度状態（本実施形態では図２に示すように上下限値ｘ１，ｘ２ともに中間開度値に設定してある給気側の目標中間開度範囲Ｘの範囲内に全ての給気側ダンパＶｓの開度ａ１〜ａ３が入っている状態）になるように、給気側ダンパＶｓそれぞれの検出開度ａ１〜ａ３に応じ給気側目標風路圧ｆｓｓを変更する給気側の風路圧設定変更制御を実行する。
【００２６】
また、排気側の風路圧設定変更部１０Ｂは、給気側と同様、排気側ダンパ制御器６Ｂによる前記の排気側ダンパ制御において排気側ダンパＶｒが所定の適正開度状態（本実施形態では同図２に示すように上下限値ｙ１，ｙ２ともに中間開度値に設定してある排気側の目標中間開度範囲Ｙの範囲内に全ての排気側ダンパＶｒの開度ｂ１〜ｂ３が入っている状態）になるように、排気側ダンパＶｒそれぞれの検出開度ｂ１〜ｂ３に応じ排気側目標風路圧ｆｒｓを変更する排気側の風路圧設定変更制御を実行する。
【００２７】
つまり、本実施形態では、給気側分岐風路２ａの通風量ｑｓを調整する給気側ダンパ制御の実施下において、上記のように給気側の風路圧調整制御としての風路圧設定変更制御及び給気側ファン調整制御により給気側ダンパＶｓの開度ａ１〜ａ３が全て給気側の目標中間開度範囲Ｘ（ダンパ特性上で風量調整機能に優れた開度範囲）に入るようにすることで、その給気側ダンパ制御による通風量調整（対象室１に対する換気風量調整）を感度面及び精度面で良好に行なえるようにする。
【００２８】
また同様に、対象室１の室圧ｐを調整する排気側ダンパ制御の実施下において、上記のように排気側の風路圧調整制御としての風路圧設定変更制御及び排気側ファン調整制御により排気ダンパＶｒの開度ｂ１〜ｂ３が全て排気側の目標中間開度範囲Ｙ（ダンパ特性上で室圧調整機能に優れた開度範囲）に入るようにすることで、その排気側ダンパ制御による室圧調整を感度面及び精度面で良好に行なえるようにする。
【００２９】
給気側の風路圧設定変更制御において給気側の風路圧設定変更部１０Ａは、具体的には、給気側ダンパＶｓの検出開度ａ１〜ａ３のうち最大のものが給気側の目標中間開度範囲Ｘを大開度側に逸脱しているとき給気側目標風路圧ｆｓｓを上昇側に変更し、給気側ダンパＶｓの検出開度ａ１〜ａ３のうち最小のものが給気側の目標中間開度範囲Ｘを小開度側に逸脱しているとき給気側目標風路圧ｆｓｓを低下側に変更し、給気側ダンパＶｓの検出開度ａ１〜ａ３が全て給気側の目標中間開度範囲Ｘの範囲にあるとき（図２に示す状態）には給気側目標風路圧ｆｓｓを現状値に維持する。
【００３０】
すなわち、給気側ダンパＶｓの検出開度ａ１〜ａ３のうち最大のものが給気側の目標中間開度Ｘを大開度側に逸脱しているときは、給気側目標風路圧ｆｓｓを上昇側へ変更することにより、給気側ファン調整制御上で給気ファンＦｓの出力を増大する側に調整させて、この増大側へのファン出力調整に対し給気側ダンパ制御上で給気側ダンパＶｓのそれぞれが閉じ側に開度調整されるようにし、また逆に、給気側ダンパＶｓの検出開度ａ１〜ａ３のうち最小のものが給気側の目標中間開度範囲Ｘを小開度側に逸脱しているときは、給気側目標風路圧ｆｓｓの低下側へ変更することにより、給気側ファン調整制御上で給気ファンＦｓの出力を減少する側に調整させて、この減少側へのファン出力調整に対し給気側ダンパ制御上で給気側ダンパＶｓの開度ａ１〜ａ３が全て給気側の目標中間開度範囲Ｘに入るように（すなわち、給気側ダンパＶｓが適正開度状態になるように）する。
【００３１】
一方、排気側の風路圧設定変更制御において排気側の風路圧設定変更部１０Ｂは、具体的には、排気側ダンパＶｒの検出開度ｂ１〜ｂ３のうち最大のものが排気側の目標中間開度範囲Ｙを大開度側に逸脱しているとき排気側目標風路圧ｆｒｓを低下側に変更し、排気側ダンパＶｒの検出開度ｂ１〜ｂ３のうち最小のものが排気側の目標中間開度範囲Ｙを小開度側に逸脱しているとき排気側目標風路圧ｆｒｓを上昇側に変更し、排気側ダンパＶｒの検出開度ｂ１〜ｂ３が全て排気側の目標中間開度範囲Ｙの範囲にあるとき（図２に示す状態）には排気側目標風路圧ｆｒｓを現状値に維持する。
【００３２】
すなわち、排気側ダンパＶｒの検出開度ｂ１〜ｂ３のうち最大のものが排気側の目標中間開度Ｙを大開度側に逸脱しているときは、排気側目標風路圧ｆｒｓを低下側へ変更することにより、排気側ファン調整制御上で排気ファンＦｒの出力を増大する側に調整させて、この増大側へのファン出力調整に対し排気側ダンパ制御上で排気側ダンパＶｒのそれぞれが閉じ側に開度調整されるようにし、また逆に、排気側ダンパＶｒの検出開度ｂ１〜ｂ３のうち最小のものが排気側の目標中間開度範囲Ｙを小開度側に逸脱しているときは、排気側目標風路圧ｆｒｓの上昇側へ変更することにより、排気側ファン調整制御上で排気ファンＦｒの出力を減少する側に調整させて、この減少側へのファン出力調整に対し排気側ダンパ制御上で排気側ダンパＶｒの開度ｂ１〜ｂ３が全て排気側の目標中間開度範囲Ｙに入るように（すなわち、排気側ダンパＶｒが適正開度状態になるように）する。
【００３３】
１１は隣接する対象室１を区画する室壁１ａに設けられた扉、１１ａは扉１１の開閉を検出し、その検出情報ｉｄを中央制御器ＣＣに送信する扉センサであり、この扉センサ１１ａにより、扉１１が開かれると扉開き情報が中央制御器ＣＣに送信され、扉１１が閉じられると扉閉じ情報が中央制御器ＣＣに送信される。
【００３４】
１２は中央制御器ＣＣにおける排気側制御部であり、この排気側制御部１２は排気側におけるシステム全体の制御として次の（イ）〜（ニ）の制御を実行する（図３参照。）。
【００３５】
（イ）隣接する２つの対象室１間における人の出入りや物の運搬のために、それら対象室１の間の扉１１が一時的に開かれると（♯１）、それと同時にタイマーによる時間の計測をスタートさせ（♯２）、扉１１の開き状態が設定遅延時間Ｔ１を経過するまでは、排気側のダンパ制御器６Ｂによるダンパ制御に平行して前記した排気側の風路圧調整制御として風路圧設定変更制御及びファン調整制御を排気側の風路圧設定変更部１０Ｂ及び排気側ファン制御器９Ｂに実行させる（♯３，♯４）。
【００３６】
（ロ）その後、扉１１の開き状態が設定遅延時間Ｔ１を経過すると（♯３）、排気側の風路圧調整制御の制御動作を制限する（♯５）。
【００３７】
（ハ）この制御動作の制限（♯５）は、風路圧調整制御が、扉１１が開かれることで室圧変動が生じた対象室１に対して、排気側ダンパ制御器６Ｂがそれら対象室１の室圧ｐを設定室圧ｐｓに復帰させるために、その開度を目標中間開度Ｙから逸脱させてしまう恐れのある排気側ダンパＶｒ（すなわち、扉１１の開きにより室圧変動が生じた両方の対象室１の排気側ダンパＶｒ）を、風路圧設定変更制御における開度検出対象のダンパから除外して、他の対象室１についての排気側ダンパＶｒの検出開度に基づき風路圧設定変更制御を実行するものである。
【００３８】
（ニ）そして、扉１１が閉じられると（♯６）、それと同時にタイマーによる時間Ｔの計測をスタートさせ（♯７）、扉１１が閉じられてから設定遅延時間Ｔ２の経過（♯８）をもって風路圧調整制御の制御動作の制限を解除して（♯９）、通常の風路圧調整制御に復帰する。
【００３９】
なお、排気側の風路圧調整制御の制御動作の制限としては、上述した制限方法のほかに、扉１１の開きにより室圧変動が生じた対象室１のうち、室圧ｐの変動幅（すなわち、変動後の室圧ｐと設定室圧ｐｓとの偏差Δｐ）の大きい方の対象室１についての排気側ダンパＶｒのみを排気側の風路圧設定変更制御における開度検出対象のダンパから除外する方法、排気側の風路圧設定変更制御を停止する方法、排気側のファン調整制御による排気ファンＦｒの出力調整速度を低下させる方法など、種々の制限方法で実行してもよい。
【００４０】
以上、本実施形態において、排気側のダンパ制御器６Ｂ、ファン制御器９Ｂ及び風路圧設定変更部１０Ｂ、並びに、排気側制御部１２は、
対象室１それぞれの検出室圧ｐと設定室圧ｐｓとの偏差Δｐに応じ排気側ダンパＶｒの開度を調整して対象室１それぞれの室圧ｐを設定室圧ｐｓに調整するダンパ制御と、
このダンパ制御において排気側ダンパＶｒが設定適正開度Ｙになるように、排気側ダンパＶｒの検出開度ｂ１〜ｂ３に応じ排気ファンＦｒの出力を調整して排気側主風路３の風路圧ｆｒを変更する風路圧調整制御（すなわち、風路圧設定変更制御及びファン調整制御）とを実行する制御手段を構成する。
そして、この制御手段は、隣接する対象室１を区画する室壁１ａに設けられた扉１１の開閉を検出する扉センサ１１ａによる検出情報ｉｄに基づき、扉１１が開き状態にあることに応じて、風路圧調整制御の制御動作を制限する構成にしてある。
【００４１】
なお、本実施形態において、システム起動時は、給気側及び排気側主風路２，３の風路圧ｆｓ，ｆｒを、目標設定風路圧ｆｓｓ，ｆｒｓ調整により一定の変化率で設定初期値まで上昇させた上で風路圧調整制御を実行させて、システムを起動し、そして、システム停止時は、給気側及び排気側主風路２，３の風路圧ｆｓ，ｆｒを、風路圧調整制御を停止した上で目標設定風路圧ｆｓｓ，ｆｒｓ調整によりを一定の変化率で下降させて、システムを停止する形態を採っている。
【００４２】
〔別の実施形態〕
次に別実施形態を列記する。
【００４３】
前述の実施形態では、給気側ダンパＶｓの開度調整により各給気側分岐風路２ａの通風量ｑｓ（対象室１に対する換気風量）を設定通風量ｑｓｓに調整し、かつ、排気側ダンパＶｒの開度調整により各対象室１の室圧ｐを設定室圧ｐｓに調整する空調システムを示したが、逆に、排気側ダンパＶｒの開度調整により各排気側分岐風路３ａの通風量ｑｒ（対象質に対する換気風量）を設定通風量ｑｒｓに調整し、かつ、給気側ダンパＶｓの開度調整により各対象室１の室圧ｐを設定室圧ｐｓに調整する空調システムであってもよい。
なお、この場合は、排気側制御部１２に替えて給気側制御部を設け、その給気側制御部が、対象室１間の扉１１の開閉に基づく給気側の風路圧調整制御（すなわち、扉センサ１１ａの検出情報ｉｄに基づいた、風路圧調整制御の制御動作の制限及びその制限の解除）を実行する構成を採る。
【００４４】
前述の実施形態では、給気ファンＦｓ及び排気ファンＦｒのそれぞれについて、ファン調整制御を実行する給気側ファン制御器９Ａ及び排気側ファン制御器９Ｂを配したが、給気側風路圧設定変更部１０Ａ、排気側風路圧設定変更部１０Ｂから直接に給気ファンＦｓや排気ファンＦｒの出力調整部（例えば、インバータ部）へ変更風路圧に応じた出力調整指令を出力して、給気側主風路２や排気側主風路３の風路圧ｆｓ、ｆｒを変更するようにしてもよい。また、その際、給気側圧力センサ８ａや排気側圧力センサ８ｂの検出風路圧ｆｓ，ｆｒをフィードバックしながらファンＦｓ，Ｆｒの出力を調整して風路圧ｆｓ，ｆｒを変更する制御形態、あるいは、風路圧ｆｓ，ｆｒのフィードバックを行なわずにフィードフォワード的にファンＦｓ，Ｆｒの出力を調整して風路圧ｆｓ，ｆｒを変更する制御形態の何れを採用してもよい。
【００４５】
対象室１はどのような用途のものであってもよく、また、室圧調整目的や通風量調整の目的もどのようなものであってもよい。
【図面の簡単な説明】
【図１】空調システムの全体構造図
【図２】風路圧（ファン出力）の調整形態を説明する図
【図３】システムの制御を示すフローチャート
【符号の説明】
１              対象室
１ａ            室壁
２，３          主風路
２ａ，３ａ      分岐風路
６Ａ，６Ｂ      制御手段
９Ａ，９Ｂ      制御手段
１０Ａ，１０Ｂ  制御手段
１１            扉
１１ａ          検出手段
Ｆｓ，Ｆｒ      ファン
Ｔ１，Ｔ２      設定遅延時間
Ｖｓ，Ｖｒ      ダンパ
Ｘ，Ｙ          設定適正開度
ａ１〜ａ３      ダンパ開度
ｂ１〜ｂ３      ダンパ開度
ｆｓ，ｆｒ      主風路の風路圧
ｆｓｓ，ｆｒｓ  設定風路圧
Δｆｓ，Δｆｒ  風路圧偏差
ｉｄ            検出情報
ｐ              室圧
ｐｓ            設定室圧
Δｐ            室圧偏差
【図１】
2004170045.tif 000003
【図２】
2004170045.tif 000004
【図３】
2004170045.tif 000005